(57)【要約】      （修正有）【課題】吸込アタッチメントがドリル用通過開口を設けた吸込口と、および平面例えば壁面に吸着させるための、吸込口とは別個の吸込領域と、を有する真空掃除機用吸込アタッチメントまたは吸込アタッチメントを備えた真空掃除機を提供する。【解決手段】真空掃除機用吸込アタッチメントおよび当該タイプの吸込アタッチメントを備えた真空掃除機をさらに改善して形成するために、吸込口１９が真空掃除機１によって発生された真空から切離し可能であることが提案される。【選択図】図１
2013226642.tif 000002
【特許請求の範囲】
【請求項１】
吸込アタッチメント（１２）が、ドリル（２１）用通過開口（２０）を設けた吸込口（１９）と、および平面（１１）例えば壁面に吸着させるための、吸込口（１９）とは別個の吸込領域（２２）と、を有する、真空掃除機（１）用吸込アタッチメント（１２）または吸込アタッチメント（１２）を備えた真空掃除機（１）において、
吸込口（１９）が、真空掃除機（１）によって発生された真空から切離し可能であることを特徴とする真空掃除機（１）用吸込アタッチメント（１２）または吸込アタッチメント（１２）を備えた真空掃除機（１）。
【請求項２】
蓄電池（１０）の性能に適合された駆動出力、穴あけ粉塵吸込アタッチメント（１８）および吸着室（３３）を備えた蓄電池式真空掃除機（１）において、この場合、
蓄電池式真空掃除機（１）が、吸込管差込結合および他の保持クランプ結合および／または保持一体形状結合により、穴あけ粉塵アタッチメント（１８）および吸着室（３３）に保持可能である、蓄電池式真空掃除機（１）。
【請求項３】
平面（１１）に吸着させるとき、吸込口（１９）の切離しが自動的に行われることを特徴とする請求項１または２に記載の吸込アタッチメント、真空掃除機または蓄電池式真空掃除機。
【請求項４】
切離しが、切離し位置と結合位置との間で揺動可能な、吸込管部分（２５）内のヒンジ・カバー（２８）により与えられることを特徴とする請求項１ないし３のいずれかに記載の吸込アタッチメント、真空掃除機または蓄電池式真空掃除機。
【請求項５】
ヒンジ・カバー（２８）が結合位置に予め付勢されていることを特徴とする請求項１ないし４のいずれかに記載の吸込アタッチメント、真空掃除機または蓄電池式真空掃除機。
【請求項６】
吸込口（１９）が吸込管部分（２５）に通じる流動開口（２４）を有し、この場合、真空掃除機（１）の吸込管部分（４）と協働するための、流動方向に流動開口（２４）に接続するアダプタ部分（２６）に関して、一方で、アダプタ部分（２６）とは反対側の、断面が拡大された集積室（３２）が、流動開口（２４）に接続すること、および／または
好ましくは、ヒンジ・カバー（２８）が集積室（３２）内に配置されていること、を特徴とする請求項１ないし５のいずれかに記載の吸込アタッチメント、真空掃除機または蓄電池式真空掃除機。
【請求項７】
吸込口（１９）が吸込領域（２２）と一体に形成されていること、および／または
好ましくは、吸込領域（２２）が、いずれの場合も、それと結合されるべき真空掃除機（１）の幅と一致する縦長の平面部分として形成されていること、を特徴とする請求項１ないし６のいずれかに記載の吸込アタッチメント、真空掃除機または蓄電池式真空掃除機。
【請求項８】
真空掃除機（１）の保持開口（３１）内に係合させるために、吸込アタッチメント（１２）に一体形状保持部分（１５）が形成されていることを特徴とする請求項１ないし７のいずれかに記載の吸込アタッチメント、真空掃除機または蓄電池式真空掃除機。
【請求項９】
縦長に形成された真空掃除機（１）が、その一方の端部領域に、吸込管流入口を有し、および他方の端部に、中間領域（８）に対して先細りに形成された操作ステム（３）を有すること、および／または
好ましくは、操作ステム（３）が一体形状保持開口（３１）を有すること、を特徴とする請求項１ないし８のいずれかに記載の吸込アタッチメント、真空掃除機または蓄電池式真空掃除機。
【請求項１０】
吸込アタッチメント（１２）が真空掃除機（１）をクランプ保持するためのクランプ保持構造物（１７）を有すること、および／または
好ましくは、クランプ保持構造物（１７）が、真空掃除機（１）の吸込管流入口と一体形状保持開口（３１）との間の領域に付属可能であること、を特徴とする請求項１ないし９のいずれかに記載の吸込アタッチメント、真空掃除機または蓄電池式真空掃除機。
【発明の詳細な説明】
【技術分野】
【０００１】
本発明は、はじめに、吸込アタッチメントが、ドリル用通過開口を設けた吸込口と、および平面例えば壁面に吸着させるための、吸込口とは別個の吸込領域と、を有する、真空掃除機用吸込アタッチメントまたは吸込アタッチメントを備えた真空掃除機に関するものである。
【０００２】
さらに、本発明は、蓄電池の性能に適合された駆動出力を備えた蓄電池式真空掃除機に関するものである。
【背景技術】
【０００３】
真空掃除機用吸込アタッチメント並びに当該タイプの吸込アタッチメントを備えた真空掃除機は既知である。このような吸込アタッチメントが、例えば特許文献1に示され且つ記載されている。この場合、吸込アタッチメントは、例えば平面上の穴あけ過程において落下する穴あけ粉塵を直接吸込アタッチメントの付属された吸込口を介して吸い込むために、平面例えば垂直壁面に吸着させるのに適したように設計されている。吸込のためのみならず平面への吸込アタッチメントの付着のためにもまた使用される吸込空気流れないしは真空は、好ましくは吸込アタッチメントに接続された真空掃除機特に電動式家庭用真空掃除機を介して、さらに好ましくは家庭用電源に接続された真空掃除機を介して提供される。
【先行技術文献】
【特許文献】
【０００４】
【特許文献１】ドイツ国特許出願公開第１９５４３５９９Ａ１号明細書
【発明の概要】
【発明が解決しようとする課題】
【０００５】
上記の従来技術を考慮して、本発明の技術的課題は、真空掃除機用吸込アタッチメントまたは当該タイプの吸込アタッチメントを備えた真空掃除機をさらに改善して形成することである。
【０００６】
上記の従来技術を考慮して、さらに、本発明の技術的課題は、当該タイプの蓄電池式真空掃除機を、特にその利用分野に関して、有利に改良することである。
【課題を解決するための手段】
【０００７】
はじめの課題の可能な解決は、吸込アタッチメントないしは吸込アタッチメントを備えた真空掃除機において、吸込口が、真空掃除機によって発生された真空から切離し可能であることが意図されている本発明の第１の考え方により与えられている。この形態により、例えばユーザによって好ましくは選択的に形成されるべき、吸込口を介しての吸込空気流れの結合または切離しが達成可能である。特に、真空掃除機により発生された真空の切離しの場合、それに対応して改善された、平面への吸込アタッチメントの吸着が得られる。真空によって吸込アタッチメントがそれに付着されるべき特に平滑ではない表面において、即ちさらに特に粗目構造の表面において、吸込空気ファンの同じ出力のままで、吸込口を吸込空気流れから切り離すことにより、それに対応して真空を上昇させることによって、平面例えば壁面への吸込アタッチメントの確実な付着が達成可能である。さらに、この形態により、通常の家庭用真空掃除機よりも出力が低い吸込ファンにおいてこのような吸込アタッチメントの使用が可能であり、その理由は、この吸込ファンを介して発生された真空が、吸込アタッチメントの好ましい位置において、（はじめに）吸込アタッチメントを平面に吸着させるためにのみ使用されるからである。
【０００８】
さらに、本発明は、蓄電池の性能に適合された駆動出力を備えた蓄電池式真空掃除機に関するものである。例えば３０−７０Ｗおよび数百Ｗ以下の駆動出力を備えたこのような蓄電池駆動真空掃除機が既知である。蓄電池駆動真空掃除機は、特に家庭内において、平面例えばテーブル面の清掃に使用される。この場合、真空掃除機は吸込口を有し、吸込口は、吸込通路を介して、真空掃除機ハウジング内に組み込まれた吸込ファンに接続されている。真空掃除機の運転中に吸込空気流れを介して搬送された汚れ／粉塵粒子は集塵室または粉塵フィルタ・バッグ内において分離されることが好ましい。
【０００９】
他の課題の可能な解決は、蓄電池式真空掃除機において、蓄電池式真空掃除機が、吸込管差込結合および他の保持クランプ結合および／または保持一体形状結合により、穴あけ粉塵吸込アタッチメントおよび吸着室に保持可能である、穴あけ粉塵吸込アタッチメントおよび吸着室を備えたこのような蓄電池式真空掃除機が意図されている第１の本発明の考え方により与えられている。この形態により、拡張利用が可能な蓄電池式真空掃除機が得られる。蓄電池式真空掃除機は、それに対応して、例えば平面を清掃するための通常使用のほかに、穴あけ過程の間に例えば壁面を落下する穴あけ粉塵を吸い込むためにもまた使用可能である。このために、蓄電池式真空掃除機は穴あけ粉塵吸込アタッチメントを備えることが可能であり、穴あけ粉塵吸込アタッチメントは、好ましくは吸込管差込結合および他の保持結合を介して必要に応じて吸込アタッチメントに保持可能である。吸込アタッチメントは、吸込アタッチメント並びにこれと結合された蓄電池式真空掃除機を平面例えば壁面に吸着させるために吸着室を有していることが好ましく、実行されるべき穴あけ位置のすぐ近くの領域内に吸着室を有していることがさらに好ましい。吸着室は、さらに特に真空掃除機との吸込管差込結合により、蓄電池式真空掃除機の吸込ファンを介して真空にすることが可能である。蓄電池式真空掃除機にスイッチが入れられたとき、即ちファンにスイッチが入れられたとき、吸込アタッチメントが設けられている真空掃除機は、吸着室を介して好ましくは垂直壁面等に付着可能である。それに対応して、ユーザが蓄電池式真空掃除機を固定保持する必要はない。この場合、ユーザは、むしろ例えば穴あけを実行するために両手をフリーにすることが可能である。蓄電池式真空掃除機を使用することにより、吸着室と、および運転中にこの領域内に作用する真空とを介して、蓄電池式真空掃除機は穴あけ粉塵吸込アタッチメントと共にのみ保持される。ケーブルで接続される通常の家庭用真空掃除機のように、真空付着に対して不利に作用する、吸込アタッチメントに通じる吸込ホース等は存在しない。提案された方法により、設備費もまた本質的に低減される。穴あけ過程の間に落下する穴あけ粉塵を受け入れるために、より重く且つ場所をとるケーブル付き真空掃除機は必要ではなく、さらに外部の電流供給は必要ではない。提案された方法においては、吸込アタッチメントを取り付けるために、ホースの装着、他の付属装置の取外しは必要ではない。この場合、むしろ、蓄電池で運転される、通常の、より軽く且つ操作しやすい真空掃除機が使用される。
【００１０】
他の好ましい形態において、穴あけ粉塵吸込アタッチメントに吸込口が設けられ、吸込口は、さらに好ましくは蓄電池式真空掃除機によって発生された真空から切離し可能である。この形態により、例えばユーザによって好ましくは選択的に形成されるべき、吸込口を介しての吸込空気流れの結合または切離しが達成可能である。特に蓄電池式真空掃除機によって発生された真空の切離しの場合、それに対応して改善された、平面への吸込アタッチメントの吸着が得られる。真空によって吸込アタッチメントが蓄電池式真空掃除機と共にそれに付着されるべき特に平滑でない表面において、即ちさらに特に粗目構造の表面において、吸込口を吸込空気流れから切り離すことにより、それに対応して吸着室内の真空を上昇させることによって、平面例えば壁面への上記組合せ装置の確実な付着が達成可能である。この形態により、通常の家庭用真空掃除機よりも出力が低い、３０−７０Ｗの消費電力を有する蓄電池式吸込ファンにおいてもまたこのような吸込アタッチメントの使用が可能であり、その理由は、この吸込ファンを介して発生された真空が、吸込アタッチメントの好ましい位置において、吸込アタッチメントを蓄電池式真空掃除機と共に平面に付着させるためにのみ使用されるからである。
【００１１】
以下に、本発明のその他の特徴が、図面の説明においてもまた、しばしば請求項１または他の独立請求項２の対象またはその他の請求項の特徴との好ましいその関連において説明されている。しかしながら、これらの特徴は、請求項１または他の独立請求項２にまたはそれぞれ他の請求項の個々の特徴のみとの関連においても、またはそれぞれ独立にもまた、重要である。
【００１２】
即ち、他の好ましい一形態において、平面に吸着させるとき、吸込口の切離しが自動的に行われるように設計されている。それに対応して、吸込口内の真空の、ユーザによる意図的な切離しが実行可能ではないことが好ましい。切離しはむしろ自動的に行われることが好ましく、吸込空気流れが作動化されているとき、吸込アタッチメントが場合によりそれに接続された蓄電池式真空掃除機と共に平面に付着させるために平面に当接された瞬間に行われることがさらに好ましい。即ち、それに対応して、ユーザによる誤操作が阻止されている。特にユーザによって実行された平面からの吸込アタッチメントの取外しにより、真空掃除機によって発生された真空への吸込口の結合が自動的に行われることがさらに好ましい。一形態においては、この位置において、この吸込領域のみならず吸込口にもまた真空の供給が達成されている。平面から取り外された位置において、吸込空気は吸込口のみを介して導入されていることがさらに好ましい。
【００１３】
好ましい形態において、切離しが、切離し位置と結合位置との間で揺動可能な、吸込管部分内のヒンジ・カバーにより与えられている。このヒンジ・カバーは、平面への吸込アタッチメントの取付ないしは平面からの吸込アタッチメントの取外しと共に自動的に揺動することが好ましい。これに関して、代替態様または組合せ態様として、ユーザにより直接的に、またはオペレータによって作動化されたアクチュエータを介して間接的に行われる、ヒンジ・カバーの手動揺動もまた可能である。
【００１４】
この場合、ヒンジ・カバーは、平面への吸込アタッチメントの吸着位置において、ヒンジ・カバーが、吸込口ないしは吸込口に通じている吸込通路を、好ましくは完全に、さらに好ましくは少なくとも８０％を超えて閉鎖するように形成されていることがさらに好ましい。
【００１５】
ヒンジ・カバーが吸込口の結合位置に予め付勢されていることがさらに好ましい。それに対応して、真空掃除機にスイッチが入れられたとき、吸込空気流れが少なくとも吸込口を介して導入されている、ヒンジ・カバーの基本調節位置が得られる。ヒンジ・カバーのこの予め付勢された基本位置から、平面への吸込アタッチメントの取付によりおよび／またはユーザの係合により、ヒンジ・カバーは吸込口の切離し位置に揺動可能である。
【００１６】
ヒンジ・カバーへの予めの付勢は、ヒンジ・カバーに作用するばねにより、例えば圧縮ばねまたはアームばねにより与えられていることがさらに好ましい。代替態様として、ばね作用は、ヒンジばね特に揺動可能性を与えるヒンジ領域の対応する材料選択によって与えられている。
【００１７】
他の好ましい形態において、吸込口が吸込管部分に通じる流動開口を有し、この場合、真空掃除機の吸込管部分と協働するための、流動方向に流動開口に接続するアダプタ部分に関して、一方で、アダプタ部分とは反対側の、断面が拡大された集積室が、流動開口に接続するように設計されている。好ましくは穴あけ粉塵吸込アタッチメントに設けられた、本質的に吸込口の流動開口内に入り込むアダプタ部分は、吸込アタッチメントへの真空掃除機の取付位置において、真空掃除機への吸込口の流動気密接続として働くことが好ましい。この場合、アダプタ部分は、真空掃除機による通常の平面清掃のために使用される吸込口そのものとして働くことがさらに好ましい。吸込口の領域内のアダプタ部分の流動開口は、特に穴あけ過程の間に落下する穴あけ粉塵のための、アダプタ部分よりも断面が拡大された集積室内に入り込むことが好ましい。この場合、集積室は、その受入容量に関して、通常の穴あけ過程の間における穴あけ粉塵ないしは穴あけ切屑を量的に受入可能なように設計されていることがさらに好ましい。これに関して、集積室が、流動開口に関してないしはアダプタ部分に関して、真空掃除機の運転中における空気流動方向に対して垂直方向のみならず空気流動方向に対して横方向にも、アダプタ部分の断面を超えて伸長していることもまた好ましい。
【００１８】
他の好ましい形態において、集積室が鉢状に拡大され、これにより、穴あけ過程の間に場合により削り取られた粒子例えば石の粒子を受け取ることもまた可能である。
【００１９】
他の好ましい形態において、ヒンジ・カバーが、集積室内に配置され、さらにそれに対応して、吸込口に付属された流動開口と、取付位置において真空掃除機の吸込管部分に付属されたアダプタ部分の開口と、の間の領域内に配置されていることが好ましい。他の好ましい形態において、ヒンジ・カバーは、閉鎖位置において、集積室の床領域の少なくとも一部分を占有する。
【００２０】
ヒンジ・カバーに固定されたレバーは、アダプタ部分の外方に突出していることが好ましく、吸込領域の方向に突き抜けていることがさらに好ましい。好ましくは予め付勢されたヒンジ・カバーの結合位置において、ヒンジ・カバーに作用するこのレバーは、吸込領域の取付面から突出していることが好ましく、これにより、平面に吸込領域を取り付けたとき、レバーがそれに対応して衝突することにより、吸込口を切り離す位置へのヒンジ・カバーの移動が達成される。
【００２１】
好ましい形態において、吸込口が吸込領域と一体に形成されていることが好ましく、プラスチック射出成形法で一体に製造されていることがさらに好ましい。これは、特に、真空掃除機特に蓄電池式真空掃除機に吸込アタッチメントを取り付けるために有利な取扱いを提供する。
【００２２】
特に、吸込アタッチメントの吸込領域が、いずれの場合も、それと結合されるべき真空掃除機特に蓄電池式真空掃除機の幅と一致する縦長の平面部分として形成されていることが好ましい。平面例えば壁面の取付位置に向かい合う吸込領域の表面は、好ましい形態において、１５０−６００ｃｍ２、さらに好ましくは２００−３００ｃｍ２の値を有している。
【００２３】
真空掃除機特に蓄電池式真空掃除機の保持開口内に係合させるために、吸込アタッチメントに一体形状保持部分が形成されていることがさらに好ましい。この場合、一体形状保持部分は、特に吸込領域と一体に、さらに好ましくは特に吸込領域と同一材料で形成されていることが好ましく、さらに、吸込口ともまた一体に形成されていることがさらに好ましい。真空掃除機側の保持開口は、それに対応して一体形状保持部分を受け入れるように、例えば保持部分により貫通されるべき開口の形に形成されている。
【００２４】
即ち、他の好ましい一形態において、縦長に形成された真空掃除機が、その一方の端部領域に、吸込管流入口を有し、および他方の端部に、中間領域に対して先細りに形成された操作ステムを有するように設計されている。この操作ステムは、特に手動操作される蓄電池式真空掃除機としての真空掃除機の形態において、真空掃除機を掴み且つ操作するために、さらに好ましくは、吸込管流入口を介して例えば表面を清掃するときに真空掃除機を操作するために、使用される。この場合、操作ステムは、それを手で掴むことが可能なように、特に断面に関して操作しやすいように成形されている。好ましい形態において、操作ステムよりも厚く形成された中央領域は、特に吸込ファン・モータを受け入れ、さらに、集塵室またはフィルタ・バッグもまた受け入れることがさらに好ましい。
【００２５】
操作ステムがさらに特に窓状貫通口の形の一体形状保持開口を有することが好ましい。一形態において、この保持開口は、蓄電池式真空掃除機が使用されないときにそれを吊り下げるために使用可能である。蓄電池式真空掃除機における上記の吸込アタッチメントの配置に関して、一体形状保持開口は吸込アタッチメントの一体形状保持部分によって貫通されることが好ましい。この位置において、他方の側に、真空掃除機側の吸込管部分ないしは吸込管流入口と吸込アタッチメント側のアダプタ部分との組立が与えられている。
【００２６】
他の好ましい一形態は、吸込アタッチメントが真空掃除機をクランプ保持するためのクランプ保持構造物を有するように設計されている。このクランプ保持は、上記の一体形状保持の代わりに設けられていてもよい。特に操作ステムの領域内の一体形状保持およびクランプ保持からなる組合せは好ましい。
【００２７】
吸込アタッチメントのクランプ保持要素は、付属された真空掃除機のハウジングと協働することが好ましく、真空掃除機の周囲部分のクランプ掴みによって協働することが好ましい。この場合、クランプ保持構造物は、クランプ保持の方向に作用するプレストレスによりばね付勢されるように形成されていることがさらに好ましい。吸込アタッチメントのクランプ保持構造物は、吸込アタッチメントと一体に且つさらに好ましくは同一材料で形成されていることが有利である。
【００２８】
好ましい形態において、クランプ保持構造物は、真空掃除機の吸込管流入口と一体形状保持開口との間の領域に付属可能である。即ち、クランプ保持は、特に、操作ステムよりも厚みのある、真空掃除機ハウジングの中間領域内に設けられていることがさらに好ましい。
開示に関して、上記および下記内に与えられた範囲ないしは値範囲または倍数範囲は、一方で、与えられた範囲限界を下からおよび／または上から制限するために、代替態様または補足態様として、与えられたそれぞれの範囲からの１つまたは複数の特異値を開示するためにもまた、特にそれぞれの寸法の１／１０ステップで、即ち無次元の場合には特に１．０１倍のステップ等で、全ての中間値もまた含むものである。
【００２９】
以下に、本発明が、一実施例のみを示した添付図面により詳細に説明されている。
【図面の簡単な説明】
【００３０】
【図１】図１は、それに接続された吸込アタッチメントを備えた、蓄電池式真空掃除機の形の真空掃除機を斜視図で示す。
【図２】図２は、図１の平面図を示す。
【図３】図３は、真空掃除機が設けられた吸込アタッチメントを平面例えば壁面に当接させる途中における、図２の線ＩＩＩ−ＩＩＩによる断面図を示す。
【図４】図４は、図３の領域ＩＶの切取拡大図を示す。
【図５】図５は、平面に当接された吸込アタッチメントおよび運転された真空掃除機における、図４に対応する図を示す。
【図６】図６は、吸込アタッチメントを詳細斜視図で示す。
【図７】図７は、吸込アタッチメントを他の詳細斜視図で示す。
【発明を実施するための形態】
【００３１】
はじめに、図１により、片手で操作される蓄電池駆動式手動真空掃除機の形の真空掃除機１が示され且つ説明されている。
【００３２】
真空掃除機１は、吸込空気流れを形成するために、電気駆動式の、さらに好ましくは蓄電池１０を介して給電されるファン・モータ２を有している。真空掃除機１を操作するために、真空掃除機１にグリップ形状の操作ステム３が設けられている。操作ステム３は手で掴めるように設計されている。
【００３３】
ファン・モータ２は、流れに関して、真空掃除機１のハウジング６内に形成された吸込管部分４に接続されている。吸込管部分４は、操作ステム３とは反対側に形成されている吸込口５内に入り込んでいる。
【００３４】
真空掃除機１の運転において吸込口５を介して空気流れと共に吸い込まれた粉塵／汚れ粒子は、真空掃除機１のハウジング６内に設けられた集塵室７内において分離される。
【００３５】
真空掃除機１は、２：１−５：１の好ましい縦／横比で、好ましくは約３：１−４：１の縦／横比で、概して縦長に形成されている。
【００３６】
特に縦方向に見た中間領域８は、ハウジング６に関して、回転対称に形成されていることが好ましい。中間領域８から出発して、ハウジング６は、好ましくは吸込口５の方向においてのみならずさらに好ましくは操作ステム３の方向においてもまた先細りに伸長している。
【００３７】
真空掃除機１の中心を縦方向に伸長する軸がｘで示されている。
【００３８】
特にファン・モータ２を作動させるために、即ち真空掃除機１を運転するために、操作ステム３に付属されて、スイッチ９が設けられていることがさらに好ましい。特に穴あけ作業さらに好ましくは例えば壁面のような垂直平面１１における穴あけ作業において粉塵／汚れを受け取るために、真空掃除機１特に蓄電池式真空掃除機に吸込アタッチメント１２が固定可能である。
【００３９】
吸込アタッチメント１２は、吸込アタッチメント１２に配置された真空掃除機１の縦伸長方向に縦方向伸長部を有して、概して縦長構成部品として形成されている。この場合もまた、図２の平面図に示すように、好ましくは３：１−５：１、さらに好ましくは約４：１の縦／横比が設けられている。
【００４０】
縦方向伸長部に対して横方向に見た幅ｂは、同じ方向に見た、真空掃除機１の特にその中間領域８内の幅の好ましくは１．１−１．５倍、さらに好ましくは約１．３倍に対応している。
【００４１】
一方の端部領域において、吸込アタッチメント１２はウエスト状に先細りに形成されている。このウエスト状に先細りに形成された領域１３は、真空掃除機１との配置位置において、操作ステム３に付属されている。
【００４２】
領域１３の上側に、吸込アタッチメント１２のほぼ平らな表面１４から垂直に突出する、ピボット形状の一体形状保持部分１５が成形されている。
【００４３】
狭い端部領域１３から、他の全体縦方向伸長部のほぼ全長にわたって伸長する吸込アタッチメント１２のより幅の広い領域への、移行領域内において、吸込アタッチメント１２は内孔状の開口１６によって貫通されている。この開口１６は、例えば吸込アタッチメント１２を吊り下げた形で保管するために使用される。
【００４４】
さらに、表面１４上に、向かい合って配置された２つのクランプ保持構造物１７が設けられている。２つのクランプ保持構造物１７は、真空掃除機１のハウジング６が中間領域８内においてこれらの間にクランプ固定可能なように、吸込アタッチメント１２の幅方向に見て間隔をなして配置されている。それに対応して、クランプ保持構造物１７の向かい合う面は、縦中心軸ｙに対して横方向に切断されたクランプ保持構造物１７の垂直断面に関して、外側に湾曲するように形成されている。さらに、クランプ保持構造物１７は、クランプ位置の方向のプレストレスにより、即ちクランプ保持構造物１７を相互に締め付けるプレストレスにより、ばね付勢されるように設計されている。
【００４５】
一体形状保持部分１５を有する端部とは反対側の吸込アタッチメント１２の端部に、一体に且つ同一材料で穴あけ粉塵吸込アタッチメント１８が付属されていることが好ましい。穴あけ粉塵吸込アタッチメント１８は、吸込アタッチメント１２の下側即ち吸込アタッチメント１２の表面１４とは反対側を向く吸込口１９を有して、概してほぼ半割り鉢の形に形成されている。吸込領域２２は吸着室３３を形成する。他の好ましい形態において、吸込アタッチメント１８の少なくとも一部が吸着室３３を（共に）形成してもよい。
【００４６】
吸込口１９の少なくとも一部を半割り鉢の形に覆う穴あけ粉塵吸込アタッチメント１８は、吸込アタッチメント１２の使用中に好ましくはドリル２１を通過させるために、さらに通過開口２０を有している。
【００４７】
同様に、下側即ち表面１４とは反対側において、吸込アタッチメント１２に、吸込アタッチメントの吸込口領域を除く、好ましくはほぼ全長およびほぼ全幅にわたり伸長する吸込領域２２が形成されている。吸込領域２２は上側がハウジングにより覆われ且つ全周がシール・パッド２３により囲まれていることがさらに好ましい。縦方向垂直断面に関して、吸込領域２２および吸込口１９の開口面は共通面内において伸長していることが好ましい。
【００４８】
シール・パッド２３は、さらに、表面１４を貫通する開口の、吸込領域２２の側の縁の周りにも伸長している。
【００４９】
吸込領域２２および穴あけ粉塵吸込アタッチメント１８の吸込口１９は、吸込アタッチメント１２の縦伸長方向に見て相前後して配置されている。
【００５０】
ドーム状の穴あけ粉塵吸込アタッチメント１８内に、好ましくは、ほぼ吸込領域２２の他の伸長方向に向く、通過開口２０を除いてドーム状に覆われた領域内に、流動開口２４が入り込んでいる。流動開口２４が、吸込アタッチメント１２の表面１４に関して、吸込領域２２に対して垂直方向に間隔をなしている領域内に入り込むことがさらに好ましい。
【００５１】
流動開口２４は、吸込アタッチメント側の吸込管部分２５内に移行する。吸込管部分２５は表面１４に対して平行に伸長していることが好ましく、表面１４への垂直投影に関して吸込アタッチメント１２の縦中心軸ｙに沿って伸長することがさらに好ましい。
【００５２】
吸込管部分２５は、流動開口２４とは反対側において、好ましくは吸込管部分２５よりも本質的に断面がより小さいアダプタ部分２６内に移行する。アダプタ部分２６は、特に断面に関して、アダプタ部分２６が真空掃除機１の吸込口５内への気密係合を形成するのに適するように形成されている。
【００５３】
さらに、吸込アタッチメント１２の吸込管部分２５は、吸込領域２２の天井板を貫通する吸込開口２７を有している。
【００５４】
真空掃除機１がアダプタ部分２６を介して接続され且つファンが作動されたとき、それに対応して、流動開口２４を介して、汚れ／粉塵粒子を搬送するための吸込空気流れが可能となり、同様に、吸込領域２２および吸込開口２７を介しての空気流れの発生もまた可能となり、さらに同様に、シール・パッド２３を有する吸込領域２２の平面１１へのほぼ気密をなす取付において、吸込領域内に真空の発生が可能となることがさらに好ましい。
【００５５】
吸込管部分２５内にヒンジ・カバー２８が配置されている。このヒンジ・カバーは、特に、吸込管部分２５を流動開口２４に対して遮断し且つ吸込開口２７を開放する位置と、吸込開口２７を吸込領域２２に対して閉鎖し且つ流動開口２４を開放する位置との間で、縦中心軸ｙに対して横方向に向けられた揺動軸ｚの周りを揺動可能に支持されている。
【００５６】
さらに、ヒンジ・カバー２８は、吸込開口２７の閉鎖位置の方向に予め付勢されている。このために、アームばね２９が設けられていることが好ましい。
【００５７】
ヒンジ・カバー２８には、その下側に、吸込開口２７を貫通し且つ少なくとも吸込領域２２内に突出する触手フィンガ３０が設けられている。この触手フィンガ３０は、予め付勢されたヒンジ・カバー２８の基本位置において、それに対応して吸込開口２７の閉鎖位置において、吸込領域２２ないしは周囲シール・パッド２３の当接面を超えて伸長している。
【００５８】
吸込アタッチメント１２を使用するために、蓄電池式真空掃除機１は、真空掃除機１の吸込口５内へのアダプタ部分２６の係合により、並びに操作ステム３の領域内に形成された保持開口３１内への、吸込アタッチメント側の一体形状保持部分１５の係合により、真空掃除機１と吸込アタッチメント１２との間の一体形状結合が形成されている。この一体形状結合は、さらに、特に真空掃除機１の中間領域８と協働する吸込アタッチメント側のクランプ保持構造物１７を介してのクランプ保持によって支援されている。
【００５９】
真空掃除機１と吸込アタッチメント１２との間の結合の解除は、その後に、ユーザが特にクランプ結合を解除して真空掃除機１を吸込アタッチメント１２から取り外し且つ引き出すことにより、ユーザによって意図的にのみ実行可能である。
【００６０】
真空掃除機１を吸込アタッチメント１２と結合したのちに、真空掃除機のファン・モータ２のスイッチが入れられる。これは、特に、ユーザにとって好ましい形態において開口１６を介して吸込アタッチメント１２の吸込領域側からアクセス可能なスイッチ９の操作により、ユーザによって意図的に行われる。
【００６１】
一代替形態は、真空掃除機１が吸込アタッチメント１２に装着されたとき直ちに、ファン・モータ２の自動作動を実行する。このために、吸込アタッチメント１２に、例えば、場合により別個に設けられた真空掃除機１のスイッチに当接する突起部が設けられていてもよい。これに関して、開口１６の代わりに、例えばスイッチ９の相補輪郭の形の、この領域内において蓄電池式真空掃除機とは反対方向に湾曲している要素が設けられ、吸込アタッチメント１２への真空掃除機１の装着と共にこの要素がスイッチ９を操作し、これにより吸込ファンを自動的に作動させる一形態は好ましい。同様に、好ましくは、吸込アタッチメント１２と結合された運転モードにおいて真空掃除機１が利用可能な最高出力段内で自動的に作動するように、場合により設けられた出力調節器が操作されてもよく、これにより、壁面への付着のために利用可能な真空がそれに対応して最大化される。
【００６２】
真空掃除機１を自動始動させるための上記の機械式実施形態の代わりに、例えば、真空掃除機１の適切なセンサが吸込アタッチメント１２の存在を（例えば近接センサまたは接触センサを介して）検出し且つそれに対応して真空掃除機のモータ制御への操作が行われる形の電気式方法がさらに好ましい。
【００６３】
穴あけの準備のために、ファン・モータ２にスイッチが入れられたとき、真空掃除機１が装着された吸込アタッチメント１２が、その吸込領域２２によって平面１１に圧着される。このとき、吸込領域２２の当接面を超えて突出している触手フィンガ３０が、ヒンジ・カバー２８を、吸込管部分２５を流動開口２４に対して好ましくは気密遮断する図５に示すような位置に移動させる。それに対応して、ファン・モータ２を介して発生された真空はこの位置において吸込領域２２のみに作用するので、真空掃除機１を有する吸込アタッチメント１２は平面１１に付着する。
【００６４】
ドリル２１は吸込アタッチメント１８の通過開口２０内を案内される。穴あけ過程の間に落下する穴あけ粉塵並びに穴あけ切屑は、それに対応して、さらに好ましくはヒンジ・カバー２８によって遮断された吸込管部分２５の一部と共に集積室３２を形成する鉢形状の吸込アタッチメント１８内に落下する。
【００６５】
穴あけ過程の終了後に、真空掃除機１は、吸込アタッチメント１２と共に平面１１から取り外され、この場合、触手フィンガ３０の支持が外されたことにより、ヒンジ・カバー２８はアームばね２９によって基本位置の方向に移動されて戻され、この基本位置において吸込管部分２５は流動開口２４に対して開放されるが、吸込領域２２に対しては閉鎖されている。継続して形成されている吸込空気流れは、それに対応して、集積室３２内に既に集められた穴あけ粉塵を、好ましくは設けられている真空掃除機１の集塵室７内に吸い込ませる。
【００６６】
穴あけの間においては、吸込流れは好ましくは完全にまたは少なくとも大部分吸込領域２２内に導入されるので、蓄電池により制約された吸込出力にもかかわらず、最大真空したがって最大付着力が平面１１に発生可能である。穴あけ粉塵ははじめに集積室３２内のみに捕集される。穴あけ後に、穴あけ粉塵は集積室３２から真空掃除機１内に、特に真空掃除機１の集塵室７内に吸い込まれる。集積室３２はそれに対応して別個に空にされる必要はない。場合により、まだ平面１１に付着している穴あけ粉塵を、それに続いて、吸込アタッチメント１２から取り外された真空掃除機１により吸込み可能である。
【００６７】
開示された全ての特徴は（それ自身）発明の進歩性を有している。したがって、付属の／添付の優先権資料の開示内容（先行出願のコピー）もまた、これらの資料の特徴を本出願の請求の範囲内に組み込むことを目的として、その内容が全て本出願の開示内に含められるものである。従属請求項は、特にこれらの請求項に基づいて部分出願を可能にするために、自由に選択できる併記されたその文章内において、独自に発明力のある従来技術の変更態様を示している。
【符号の説明】
【００６８】
１  真空掃除機
２  ファン・モータ
３  操作ステム
４  吸込管部分
５  吸込口
６  ハウジング
７  集塵室
８  中間領域
９  スイッチ
１０  蓄電池
１１  平面
１２  吸込アタッチメント
１３  領域
１４  表面
１５  一体形状保持部分
１６  開口
１７  クランプ保持構造物
１８  穴あけ粉塵吸込アタッチメント
１９  吸込口
２０  通過開口
２１  ドリル
２２  吸込領域
２３  シール・パッド
２４  流動開口
２５  吸込管部分
２６  アダプタ部分
２７  吸込開口
２８  ヒンジ・カバー
２９  アームばね
３０  触手フィンガ
３１  保持開口
３２  集積室
３３  吸着室
ｂ  幅
ｘ  軸
ｙ  縦中心軸
ｚ  揺動軸
【図１】
2013226642.tif 000003
【図２】
2013226642.tif 000004
【図３】
2013226642.tif 000005
【図４】
2013226642.tif 000006
【図５】
2013226642.tif 000007
【図６】
2013226642.tif 000008
【図７】
2013226642.tif 000009